(57)【要約】【課題】  コンパクトで嵩張ることがなく、かつ、不意の衝撃によってかかる力を巧みに分散吸収して、ボトルを保護するだけでなく、その化粧箱の損傷をも防止することができる化粧箱入りボトルの緩衝梱包材を提供すること。【解決手段】  角筒形状の外箱体１の中に、前記化粧箱Ｋを保持する保持枠体２が内装される二重構造である一方、この保持枠体２の各隅角部には、内側に突出せる支持凸部21・21…が設けられており、化粧箱Ｋを収容した当該保持枠体２が前記外箱体１に内装されるとき、各周壁部22・22…が外箱体１の内側面に沿って内嵌して、収容した化粧箱Ｋは、その各々の外周面を前記周壁部22に対し所定角をなして斜めに配向し、かつ、これら外周面を前記保持枠体２の支持凸部21・21…の各々に支承させることによって、当該化粧箱Ｋを外箱体１の内部で回転制止状態に固定保持可能にするという技術的手段を採用した。【選択図】  図１
2007326621.tif 000002
【特許請求の範囲】
【請求項１】
ボトルＢが収容される直方体状の化粧箱Ｋを緩衝的に梱包可能な梱包材料であって、
角筒形状の外箱体１の中に、前記化粧箱Ｋを保持する保持枠体２が内装される二重構造である一方、
この保持枠体２の各隅角部には、内側に突出せる支持凸部21・21…が設けられており、化粧箱Ｋを収容した当該保持枠体２が前記外箱体１に内装されるとき、各周壁部22・22…が外箱体１の内側面に沿って内嵌して、収容した化粧箱Ｋは、その各々の外周面を前記周壁部22に対し所定角をなして斜めに配向し、かつ、これら外周面を前記保持枠体２の支持凸部21・21…の各々に支承させることによって、当該化粧箱Ｋが外箱体１の内部で回転制止状態に固定保持可能であることを特徴とする化粧箱入りボトルの緩衝梱包材。
【請求項２】
保持枠体２は、板体20上に、平行する複数の折曲稜線23・23…が設けられている一方、各折曲稜線23には略直交方向に横切る一組の平行な切込み部24ａ・24ａが形成され、これらに挟まれる部位に折返し帯部24を構成し、
板体20が前記折曲稜線23に沿って折り返されるに連れて、折返し帯部24の両基端部24ｂ・24ｂと同折返し帯部24の中間に形成された折目線24ｃとが交互に折曲して浮き起こされることによって、各隅角部内側に支持凸部21が作出されるように組立可能であることを特徴とする請求項１記載の化粧箱入りボトルの緩衝梱包材。
【請求項３】
保持枠体２の板体20における両側部には切抜フック形の掛止片25が左右両側に掛合可能にそれぞれ対向関係に形成されており、折曲稜線23に沿って折り返すとき、これら掛止片25・25を掛け合わせて枠体が構成されることを特徴とする請求項２記載の化粧箱入りボトルの緩衝梱包材。
【請求項４】
保持枠体２の上下端部には、内側に突出するスペーサ部26・26がそれぞれ形成されており、収容した化粧箱Ｋの上面および下面を支持しつつ、上下動を制止可能にしたことを特徴とする請求項１〜３の何れか一つに記載の化粧箱入りボトルの緩衝梱包材。
【請求項５】
保持枠体２の対向する周壁部22には、ガイド凸起22ａがそれぞれ形成されており、これらガイド凸起22ａを化粧箱Ｋの各外周面に当接させることによって、複数の化粧箱Ｋが外箱体１の内部で回転制止状態に固定保持可能であることを特徴とする請求項１〜４の何れか一つに記載の化粧箱入りボトルの緩衝梱包材。
【請求項６】
外箱体１および／または保持枠体２が段ボール製であることを特徴とする請求項１〜５の何れか一つに記載の化粧箱入りボトルの緩衝梱包材。
【請求項７】
外箱体１の周壁部と化粧箱Ｋの外周面とが略４５度をなすように配置可能であることを特徴とする請求項１〜６の何れか一つに記載の化粧箱入りボトルの緩衝梱包材。
【請求項８】
保持枠体２の支持凸部21が上下複数段に設けられていることを特徴とする請求項１〜７の何れか一つに記載の化粧箱入りボトルの緩衝梱包材。
【発明の詳細な説明】
【技術分野】
【０００１】
本発明は、化粧箱に入った壊れ易いボトルの梱包材料の改良、更に詳しくは、コンパクトで嵩張ることがなく、かつ、不意の衝撃によってかかる力を巧みに分散吸収して、ボトルを保護するだけでなく、その化粧箱の損傷をも防止することができ、要すれば、安価でリサイクル容易な段ボール材を使用し、しかも、簡単に組み立てることもできる化粧箱入りボトルの緩衝梱包材に関するものである。
【背景技術】
【０００２】
周知のとおり、酒類などの飲料はガラス瓶などのボトルに入れられて流通しており、この際、美粧の観点から化粧箱に内包されていることが多く、最近では、かかる化粧箱にも種々のデザインが施されることにより、高級感を醸し出して当該飲料の商品価値をより一層高めている。
【０００３】
ところで、かかる化粧箱は、簡素な紙箱であることが多いため、構造的には十分な強度があるとは言い難い。したがって、収容したボトル保護の必要性は勿論のこと、化粧箱自体についても、表面が損傷したり押し潰されたりしないように保護する必要があり、これらを同時に満足するものが望まれる。
【０００４】
特に、商品を運搬する際には、上記の如き損傷を生じるおそれが大きいため、従来、その梱包材料として、化粧箱ごと梱包することができるものが開示されている（例えば、特許文献１および２参照）。
【０００５】
しかしながら、かかる梱包材料では、化粧箱の上部が外に露出してしまい、化粧箱を十分に保護することができず、不意の衝撃によって化粧箱を損傷するばかりでなく、収容したボトルをも破損してしまうおそれがあった。
【０００６】
また、従来、運搬物を損傷しないようにするための緩衝手段として、例えば、化成品である衝撃吸収材を隙間に装填するか、あるいは多くの緩衝材を巻き付けるなどしていたのであるが、梱包に手間がかかり、かつ、梱包材にも費用がかかるとともに、サイズも嵩張ってしまうという不満があった。
【特許文献１】特開２００３−１２８０４７号公報（第２頁、図１−５）
【特許文献２】特開２００３−１２８０４９号公報（第３−４頁、図８−９）
【発明の開示】
【発明が解決しようとする課題】
【０００７】
本発明は、従来の梱包材料に上記のような問題があったことに鑑みて為されたものであり、その目的とするところは、コンパクトで嵩張ることがなく、かつ、不意の衝撃によってかかる力を巧みに分散吸収して、ボトルを保護するだけでなく、その化粧箱の損傷をも防止することができ、要すれば、安価でリサイクル容易な段ボール材を使用し、しかも、簡単に組み立てることもできる化粧箱入りボトルの緩衝梱包材を提供することにある。
【課題を解決するための手段】
【０００８】
本発明者が上記課題を解決するために採用した手段を添付図面を参照して説明すれば次のとおりである。
【０００９】
即ち、本発明は、ボトルＢが収容される直方体状の化粧箱Ｋを緩衝的に梱包可能な梱包材料であって、
角筒形状の外箱体１の中に、前記化粧箱Ｋを保持する保持枠体２が内装される二重構造である一方、
この保持枠体２の各隅角部には、内側に突出せる支持凸部21・21…が設けられており、化粧箱Ｋを収容した当該保持枠体２が前記外箱体１に内装されるとき、各周壁部22・22…が外箱体１の内側面に沿って内嵌して、収容した化粧箱Ｋは、その各々の外周面を前記周壁部22に対し所定角をなして斜めに配向し、かつ、これら外周面を前記保持枠体２の支持凸部21・21…の各々に支承させることによって、当該化粧箱Ｋを外箱体１の内部で回転制止状態に固定保持可能にするという技術的手段を採用した。
【００１０】
また、本発明は、上記課題を解決するために、必要に応じて上記手段に加え、保持枠体２は、板体20上に、平行する複数の折曲稜線23・23…が設けられている一方、各折曲稜線23には略直交方向に横切る一組の平行な切込み部24ａ・24ａが形成され、これらに挟まれる部位に折返し帯部24を構成し、
板体20が前記折曲稜線23に沿って折り返されるに連れて、折返し帯部24の両基端部24ｂ・24ｂと同折返し帯部24の中間に形成された折目線24ｃとが交互に折曲して浮き起こされることによって、各隅角部内側に支持凸部21が作出されるように組立可能にするという技術的手段を採用した。
【００１１】
更にまた、本発明は、上記課題を解決するために、必要に応じて上記手段に加え、保持枠体２の板体20における両側部には切抜フック形の掛止片25が左右両側に掛合可能にそれぞれ対向関係に形成されており、折曲稜線23に沿って折り返すとき、これら掛止片25・25を掛け合わせて枠体を構成するという技術的手段を採用した。
【００１２】
更にまた、本発明は、上記課題を解決するために、必要に応じて上記手段に加え、保持枠体２の上下端部には、内側に突出するスペーサ部26・26がそれぞれ形成されており、収容した化粧箱Ｋの上面および下面を支持しつつ、上下動を制止可能にするという技術的手段を採用した。
【００１３】
更にまた、本発明は、上記課題を解決するために、必要に応じて上記手段に加え、保持枠体２の対向する周壁部22には、ガイド凸起22ａをそれぞれ形成し、これらガイド凸起22ａを化粧箱Ｋの各外周面に当接させることによって、複数の化粧箱Ｋを外箱体１の内部で回転制止状態に固定保持可能にするという技術的手段を採用した。
【００１４】
更にまた、本発明は、上記課題を解決するために、必要に応じて上記手段に加え、外箱体１および／または保持枠体２を段ボール製にするという技術的手段を採用した。
【００１５】
更にまた、本発明は、上記課題を解決するために、必要に応じて上記手段に加え、外箱体１の周壁部と化粧箱Ｋの外周面とが略４５度をなすように配置可能にするという技術的手段を採用した。
【００１６】
更にまた、本発明は、上記課題を解決するために、必要に応じて上記手段に加え、保持枠体２の支持凸部21を上下複数段に設けるという技術的手段を採用した。
【発明の効果】
【００１７】
本発明によれば、保持枠体の各隅角部には、内側に突出せる支持凸部を設け、化粧箱を収容した当該保持枠体が外箱体に内装されるとき、各周壁部が外箱体の内側面に沿って内嵌して、収容した化粧箱は、その各々の外周面を前記周壁部に対し所定角をなして斜めに配向し、かつ、これら外周面を前記保持枠体の支持凸部の各々に支承させることにより、当該化粧箱を外箱体の内部で回転制止状態に固定保持することができる。
【００１８】
したがって、本発明の化粧箱入りボトルの緩衝梱包材は、コンパクトで嵩張ることがなく、外箱体と保持枠体のみで構成されるため、部品点数が少なくて済み、コストダウンにもつながる。また、不意の衝撃によってかかる力を巧みに分散吸収して、ボトルを保護するだけでなく、その化粧箱の損傷をも防止することができる。
【００１９】
更に要すれば、安価でリサイクル容易な段ボール材料を使用したり、簡単な組立式に構成することもできることから、非常に使い勝手が良く、実用的利用価値は頗る高いものがある。
【発明を実施するための最良の形態】
【００２０】
本発明を実施するための最良の形態を具体的に図示した図面に基づいて更に詳細に説明すると、次のとおりである。
【００２１】
『第１実施形態』
本発明の第１実施形態を図１から図３に基づいて説明する。図中、符号１で指示するものは外箱体であり、この外箱体１は、角筒形状の有底の箱体であって、本実施形態では、安価でリサイクル容易な紙段ボール材料で作製する。
【００２２】
また、符号２で指示するものは保持枠体であり、この保持枠体２の各隅角部には、内側に突出せる支持凸部21・21…が設けられている。なお、本実施形態では、紙段ボール材料を採用する。
【００２３】
しかして、本発明の緩衝梱包材は、ボトルＢが収容される直方体状の化粧箱Ｋを緩衝的に梱包可能な梱包材料であって、外箱体１の中に、前記化粧箱Ｋを保持する保持枠体２が内装される二重構造を構成している（図１参照）。なお、本実施形態では、ボトルＢは公知の清酒一升瓶を用い、化粧箱Ｋの形状は、略正方形断面を有する直方体である。
【００２４】
具体的には、ボトルＢを入れた化粧箱Ｋを保持枠体２に収容して（図２参照）、この保持枠体２が前記外箱体１に内装されるとき、各周壁部22・22…が外箱体１の内側面に沿って内嵌することにより固定される。
【００２５】
そして、この内嵌状態で、この保持枠体２に収容した化粧箱Ｋを、外周面が前記周壁部22に対し所定角をなすようにして斜めに配向し、これら外周面を前記保持枠体２の支持凸部21・21…の各々に支承させる（図３参照）。本実施形態では、外箱体１の周壁部と化粧箱Ｋの外周面とが略４５度をなすように配置することができる。
【００２６】
このようにして、当該化粧箱Ｋを外箱体１の内部で回転制止状態に固定保持することができるのである。また、この際、化粧箱Ｋは、その稜線が周壁部22に接するように支持させることもでき、外部から衝撃を受けたとしても、異方向に力を分散させることによって吸収することができ、ボトルＢを適切に保護することができる。また、外側表面を擦ることもないので、印刷などを損傷し難い。
【００２７】
『第２実施形態』
次に、本発明の第２実施形態を図４から図６に基づいて説明する。本実施形態では、保持枠体２を組立式に構成する。具体的には、まず、当該保持枠体２は、板体20に、平行する複数の折曲稜線23・23…が設けられている。この際、板体20の材料には、ある程度の弾性を有するものが好ましく、また、成形性および環境配慮の観点から、段ボール材料を型抜きしたものを採用することができる。
【００２８】
そして、各折曲稜線23には略直交方向に横切る一組の平行な切込み部24ａ・24ａが形成され、これらに挟まれる部位に折返し帯部24を構成している（図４参照）。
【００２９】
次いで、板体20を前記折曲稜線23に沿って折り返すとともに、これに連れて、折返し帯部24の両基端部24ｂ・24ｂと同折返し帯部24の中間に形成された折目線24ｃとを交互に折曲して浮き起こすことによって、各隅角部内側に支持凸部21を作出することができる。この際、前記切込み部24ａの長さや位置、あるいは折目線24ｃの位置を調節しつつ支持凸部21を形成することによって、種々の化粧箱Ｋのサイズに合わせることができる。
【００３０】
また、本実施形態では、保持枠体２の上下端部には、内側に突出するスペーサ部26・26をそれぞれ形成することができ、収容した化粧箱Ｋの上面および下面を支持しつつ、外箱体１の内部における上下動を制止可能にして、緩衝域として、頂部および底部に加わる外部からの衝撃を緩和することもできる（図５および６参照）。
【００３１】
『第３実施形態』
次に、本発明の第３実施形態を図７および図８に基づいて説明する。本実施形態は、第２実施形態に示したような板体20を用いる場合において、保持枠体２の板体20における両側部に切抜フック形の掛止片25を左右両側に掛合可能にそれぞれ対向関係に形成したものである。
【００３２】
このように構成することにより、折曲稜線23に沿って折り返すとき、これら掛止片25・25を掛け合わせて枠体を構成することが可能であり、粘着テープや糊などの接着剤が不要にすることができるため、利便性が向上する。また、本実施形態では、保持枠体２の支持凸部21を上下２段に設けた。かかる段数は、収容するボトルや化粧箱に合わせ、強度のバランスに応じて設計することができる。
【００３３】
『第４実施形態』
次に、本発明の第４実施形態を図９から図１１に基づいて説明する。本実施形態においては、保持枠体２の対向する周壁部22には、ガイド凸起22ａをそれぞれ形成し、これらガイド凸起22ａを化粧箱Ｋの各外周面に当接させることによって、複数の化粧箱Ｋを外箱体１の内部で回転制止状態に固定保持することができる。
【００３４】
この際、ガイド凸起22ａは三角形状を呈しているので、安定的で変形し難い。このように構成することにより、図９に示すように、化粧箱Ｋを２個収容できるものや、図１０に示すように、化粧箱Ｋを３個収容できるものを作製することができる。
【００３５】
また、両方の対向する周壁部22にそれぞれガイド凸起22ａを形成することにより、図１１に示すように、化粧箱Ｋを４個収容できるものを作製することもでき、化粧箱Ｋを確実に固定保持することができる。
【００３６】
本発明は概ね上記のように構成されるが、図示の実施形態に限定されるものでは決してなく、「特許請求の範囲」の記載内において種々の変更が可能であって、例えば、外箱体１および／または保持枠体２の使用材料は、ある程度の弾性を有するものが好ましく、プラスチック材料を用いることもできる。
【００３７】
また、図１２に示すように、化粧箱Ｋの断面が長方形である場合には、保持枠体２の支持凸部21の大きさや位置を調節することにより、確実に固定保持することができ、これら何れのものも本発明の技術的範囲に属する。
【図面の簡単な説明】
【００３８】
【図１】本発明の第１実施形態の梱包材料の構造を表わす全体斜視図である。
【図２】本発明の第１実施形態の保持枠体を表わす斜視図である。
【図３】本発明の第１実施形態の梱包材料を表わす上面図である。
【図４】本発明の第２実施形態の保持枠体の板体を表わす正面図である。
【図５】本発明の第２実施形態の保持枠体を表わす斜視図である。
【図６】本発明の第２実施形態の保持枠体を表わす側面図である。
【図７】本発明の第３実施形態の保持枠体の板体を表わす正面図である。
【図８】本発明の第３実施形態の保持枠体を表わす斜視図である。
【図９】本発明の第４実施形態の梱包材料を表わす上面図である。
【図１０】本発明の第４実施形態の梱包材料を表わす上面図である。
【図１１】本発明の第４実施形態の梱包材料を表わす上面図である。
【図１２】本発明の実施形態の梱包材料の変形例を表わす上面図である。
【符号の説明】
【００３９】
１    外箱体
２    保持枠体
20    板体
21    支持凸部
22    周壁部
22ａ  ガイド凸起
23    折曲稜線
24    折返し帯部
24ａ  切込み部
24ｂ  基端部
24ｃ  折目線
25    掛止片
26    スペーサ部
Ｂ    ボトル
Ｋ    化粧箱
【図１】
2007326621.tif 000003
【図２】
2007326621.tif 000004
【図３】
2007326621.tif 000005
【図４】
2007326621.tif 000006
【図５】
2007326621.tif 000007
【図６】
2007326621.tif 000008
【図７】
2007326621.tif 000009
【図８】
2007326621.tif 000010
【図９】
2007326621.tif 000011
【図１０】
2007326621.tif 000012
【図１１】
2007326621.tif 000013
【図１２】
2007326621.tif 000014